(57)【要約】      （修正有）【課題】快適な空調環境を効率よく実現する空調制御システムを提供することにある。【解決手段】空調制御システム１は、複数のセンサグループと、設定受付部と、状態値取得部と、推定値算出部と、空調機１０ａ−１０ｉとを備える。各センサグループは、一または複数の無線センサを含む。無線センサ２２ａ−２２ｉは、平面的に離散して設置され、所定領域における室内環境の状態値を所定の時間間隔で計測する。設定受付部は、ユーザの所望する空調環境の設定を受け付ける。状態値取得部は、無線センサで計測された状態値を取得する。推定値算出部は、状態値を用いて所定外領域における状態値の推定値を算出する。空調機は、状態値または推定値に基づいて空調制御を行う。また、一のセンサグループに属する一の無線センサは、同一のセンサグループに属する他の無線センサと同じタイミングで状態値を計測する。【選択図】図１
2010048530.tif 000002
【特許請求の範囲】
【請求項１】
所定領域における室内環境の状態値を所定の時間間隔で計測する無線センサ（２０）であって、平面的に離散して設置される前記無線センサを、それぞれが一または複数含む複数のセンサグループ（２１ａ，２１ｂ，２１ｃ）と、
ユーザの所望する空調環境の設定を受け付ける設定受付部（５５ｄ）と、
前記無線センサで計測された前記状態値を取得する状態値取得部（５５ａ）と、
前記状態値を用いて前記所定領域以外の領域である所定外領域における前記状態値の推定値を算出する推定値算出部（５５ｂ）と、
前記状態値または前記推定値に基づいて空調制御を行う空調機（１０ａ−１０ｉ）と
を備え、
一のセンサグループに属する一の無線センサは、同一のセンサグループに属する他の無線センサと同じタイミングで前記状態値を計測し、他のセンサグループに属する無線センサとは異なるタイミングで前記状態値を計測し、
前記推定値算出部は、前記設定受付部で新たな設定を受け付けた後の特定時間に前記推定値を算出する場合は、特定の状態値を用いて前記推定値を算出する、
空調制御システム。
【請求項２】
前記特定の状態値は、前記設定受付部で新たな設定を受け付けた後に前記無線センサによって計測された状態値である、
請求項１に記載の空調制御システム。
【請求項３】
前記特定時間は、前記新たな設定が受け付けられた後、すべての無線センサで前記状態値が計測されるまでの時間である、
請求項１または２に記載の空調制御システム。
【請求項４】
前記状態値取得部によって取得された前記状態値を記憶する状態値記憶領域（５４ａ）をさらに備え、
前記推定値算出部は、前記状態値記憶領域に記憶された前記状態値であって、異なるタイミングで計測された複数の状態値を用いて前記推定値を算出する、
請求項１から３のいずれかに記載の空調制御システム。
【請求項５】
前記状態値記憶領域に記憶された前記状態値は、前記新たな設定を受け付けた際にリセットされる、
請求項４に記載の空調制御システム。
【発明の詳細な説明】
【技術分野】
【０００１】
本発明は、空調制御システムに関する。
【背景技術】
【０００２】
従来、事務所等の比較的広い空間には、複数の空調機を用いた空調制御システムが備えられている。空調制御システムでは、当該複数の空調機が一つの制御装置を用いて制御される。制御装置は、空調機で計測される状態値（温度、湿度など）が、制御装置に設定された状態値の近似値で維持されるように空調機を制御する。このため、制御装置と空調機とが離れた場所に設置されている場合には、必ずしも利用者にとって快適な空調環境を提供することにはならない。
【０００３】
そこで、室内にいる利用者に対して快適な空調環境を提供するために、室内をいくつかのエリアに分け、各エリアに割り当てた空調機を連動制御させるシステムが提案されている（特許文献１参照）。
【特許文献１】特開２００５―１３４０２１号公報
【発明の開示】
【発明が解決しようとする課題】
【０００４】
しかし、このようなシステムを採用しても、空調機が天井付近に設置されている場合、利用者周辺の冷気溜り等が考慮されないため、利用者周辺の状態値と空調機で計測される状態値とは依然として乖離する。したがって、室内に居る利用者に快適な空調環境を提供することは困難である。
【０００５】
本発明の課題は、快適な空調環境を効率よく実現する空調制御システムを提供することにある。
【課題を解決するための手段】
【０００６】
第１発明に係る空調制御システムは、複数のセンサグループと、設定受付部と、状態値取得部と、推定値算出部と、空調機とを備える。複数のセンサグループは、それぞれが一または複数の無線センサを含む。無線センサは、所定領域における室内環境の状態値を所定の時間間隔で計測する。また、無線センサは、平面的に離散して設置される。設定受付部は、ユーザの所望する空調環境の設定を受け付ける。状態値取得部は、無線センサで計測された状態値を取得する。推定値算出部は、状態値を用いて所定外領域における状態値の推定値を算出する。所定外領域とは、所定領域以外の領域である。空調機は、状態値または推定値に基づいて空調制御を行う。さらに、一のセンサグループに属する一の無線センサは、同一のセンサグループに属する他の無線センサと同じタイミングで前記状態値を計測し、他のセンサグループに属する無線センサとは異なるタイミングで前記状態値を計測する。また、推定値算出部は、設定受付部で新たな設定を受け付けた後の特定時間に推定値を算出する場合は、特定の状態値を用いて推定値を算出する。
【０００７】
本発明に係る空調制御システムでは、状態値を所定の時間間隔で計測する無線センサが平面的に離散して設置される。ここで、状態値とは、室内の温度または、室内の温度および湿度である。複数のセンサグループには、当該無線センサが複数含まれる。ユーザの所望する空調環境の設定が受け付けられる。また、無線センサで計測された状態値が取得され、当該状態値に基づいて所定領域外の領域の状態値が推定される。状態値または推定値に基づいて空調機が制御される。無線センサが状態値を計測するタイミングは、属するセンサグループに応じて異なる。また、新たな設定を受け付けた後の特定時間に推定値を算出する場合には、特定の状態値を用いて推定値が算出される。
【０００８】
これにより、限られた無線センサを用いて、利用者にとって快適な空調環境を効率よく実現することができる。
【０００９】
第２発明に係る空調制御システムは、第１発明に係る空調制御システムであって、特定の状態値は、設定受付部で新たな設定を受け付けた後に無線センサによって計測された状態値である。
【００１０】
本発明に係る空調制御システムでは、設定受付部で新たな設定が受け付けられると、その後に無線センサによって計測された状態値に基づいて推定値が算出される。
【００１１】
これにより、設定変更に応じた推定値を算出することができる。
【００１２】
第３発明に係る空調制御システムは、第１発明または第２発明に係る空調制御システムであって、特定時間は、新たな設定が受け付けられた後、すべての無線センサで状態値が計測されるまでの時間である。
【００１３】
本発明に係る空調制御システムでは、新たな設定が受け付けられた後、全ての無線センサで状態値が計測されるまでの時間は、新たな設定が受け付けられた後に計測された状態値を用いて推定値が算出される。
【００１４】
これにより、新たな設定に基づいて空調制御を行うことができる。
【００１５】
第４発明に係る空調制御システムは、第１発明から第３発明のいずれかに係る空調制御システムであって、状態値記憶領域をさらに備える。状態値記憶領域は、状態値取得部によって取得された前記状態値を記憶する。推定値算出部は、状態値記憶領域に記憶された状態値であって、異なるタイミングで計測された複数の状態値を用いて推定値を算出する。
【００１６】
本発明に係る空調制御システムでは、状態値取得部によって取得された状態値が記憶される。記憶された状態値であって、異なるタイミングで計測された複数の状態値を用いて推定値が算出される。
【００１７】
これにより、一の無線センサが状態値を計測する回数を減少させることができる。
【００１８】
第５発明に係る空調制御システムは、第４発明に係る空調制御システムであって、状態値記憶領域に記憶された状態値は、新たな設定を受け付けた際にリセットされる。
【００１９】
本発明に係る空調制御システムでは、新たな設定を受け付けた際に、状態値記憶領域に記憶された状態値がリセットされる。
【００２０】
これにより、新たに受け付けた設定を反映させた推定値を算出することができる。
【発明の効果】
【００２１】
第１発明に係る空調制御システムでは、限られた無線センサを用いて、利用者にとって快適な空調環境を効率よく実現することができる。
【００２２】
第２発明に係る空調制御システムでは、設定変更に応じた推定値を算出することができる。
【００２３】
第３発明に係る空調制御システムでは、新たな設定に基づいて空調制御を行うことができる。
【００２４】
第４発明に係る空調制御システムでは、一の無線センサが状態値を計測する回数を減少させることができる。
【００２５】
第５発明に係る空調制御システムでは、新たに受け付けた設定を反映させた推定値を算出することができる。
【発明を実施するための最良の形態】
【００２６】
以下、本発明に係る空調制御システム１について、図１から図１３を用いて詳細に説明する。
【００２７】
＜全体構成＞
図１は、本実施形態に係る空調制御システム１を概略的に示す図である。空調制御システム１は、事務所等の比較的広い室内空間に用いられるシステムである。空調制御システム１は、主として、複数の室内機１０ａ−１０ｉと、複数の無線センサ２２ａ−２２ｉと、管理装置４０と、コントローラ５０と、中継器６０とからなる。図１に示すように、コントローラ５０には、管理装置４０と、中継器６０と、複数の室内機１０ａ−１０ｉとが接続されている。中継器６０は、複数の無線センサ２２ａ−２２ｉとコントローラ５０との通信を中継する。すなわち、中継器６０は、無線センサ２２ａ−２２ｉで計測された室
内空間の状態値を受信してコントローラ５０に送信し、コントローラ５０からの指令を受信して無線センサ２２ａ−２２ｉに向けて送信する。ここで、状態値とは、室内の温度である。コントローラ５０は、中継器６０を介して無線センサ２２ａ−２２ｉから受信した状態値を用いて、室内機１０ａ−１０ｉの制御を行う。
【００２８】
本実施形態に係る空調制御システム１では、図１および図２に示すように、室内に９台の室内機１０ａ−１０ｉが設定されている場合を例に挙げるが、室内機の数は９台に限定されるものではない。また、空調制御システム１で用いられる無線センサ２２ａ−２２ｉおよび中継器６０の数についても、図１に示す数に限定されるものではない。
【００２９】
＜各部の構成＞
（１）室内機
まず、図２および図３を用いて、本実施形態に係る室内機１０ａ−１０ｉを説明する。図２には、室内機１０ａの概略構成を示す。室内機１０ａの構成は、その他の室内機１０ｂ−１０ｉの構成と同様であるものとする。本実施形態で用いる室内機１０ａ−１０ｉは、天井設置型の室内機であって、図示されない圧縮機や熱交換器等から構成される冷媒回路を有している。さらに、室内機１０ａ−１０ｉは、図２に示すように、本体１７、上下
フラップ１２ａ−１２ｄ、および左右ルーバ１３ａ―１３ｄを有する。本体１７は、箱状の形状を有しており、下面には４つの吹き出し口１１ａ―１１ｄが形成されている（図３参照）。各吹き出し口１１ａー１１ｄには、吹き出し口ＩＤ１〜４が振り当てられている。吹き出し口ＩＤ１〜４は、コントローラ５０による室内機１０ａ−１０ｉの制御に用いられる。上下フラップ１２ａー１２ｄおよび左右ルーバ１３ａ−１３ｄは、それぞれ本体１７の各吹き出し口１１ａー１１ｄ付近に設けられている。上下フラップ１２ａー１２ｄは、各吹き出し口１１ａー１１ｄから吹き出された空調空気を上下方向に導くための風向調整板である。左右ルーバ１３ａ−１３ｄは、各吹き出し口１１ａー１１ｄから吹き出された空調空気を左右方向に導くための風向調節板である。
【００３０】
本体１７の内部には、図２に示すように、主として、通信部１４、送風ファン１５、制御部１６および各種モータが設けられている。通信部１４は、コントローラ５０と通信を行うための通信用インターフェースである。送風ファン１５は、各吹き出し口１１ａー１１ｄを介して空調空気が室内に送られるように空気流を生成する。制御部１６は、通信部１４および各種モータと接続されている。制御部１６は、各種モータを制御する。モータは、上下フラップ１２ａー１２ｄ、左右ルーバ１３ａ−１３ｄおよび送風ファン１５の駆動源として機能する。さらに、図３に示すように、本実施形態に係る室内機１０ａ−１０ｉは、コントローラ５０による制御の便宜上、室内機ＩＤ０１―０９がそれぞれ振り当てられている。
【００３１】
（２）無線センサ
本実施形態に係る無線センサ２２ａ−２２ｉは、図４に示すように、室内で利用者が着
座する場所（座席）の周辺に等間隔または、部屋のレイアウトに応じて偏り無く配置され、所定の位置における状態値の計測を行う。ここで、状態値とは、上述したように、室内の温度である。本実施形態では、室内に９つの無線センサ２２ａ−２２ｉが設けられ、各無線センサ２２ａ−２２ｉに、センサＩＤ０１〜０９が振り当てられる。センサＩＤ０１〜０９はコントローラ５０による制御に用いる。
【００３２】
本実施形態では、双方向通信が可能な無線センサ２２ａ−２２ｉを用いる。無線センサ２２ａ−２２ｉには、図示しないタイマーが内蔵されている。無線センサ２２ａ−２２ｉは、コントローラ５０で設定された所定の時間間隔で状態をアクティブ状態またはスリープ状態に変化させる。無線センサ２２ａ−２２ｉは、アクティブ状態の際に情報の送信ま
たは受信を行う。
【００３３】
（３）中継器
本実施形態に係る中継器６０は、コントローラ５０と通信線で接続されている。中継器６０は、コントローラ５０または無線センサ２２ａ−２２ｉからの情報を受信すると、そ
の情報を無線センサ２２ａ−２２ｉまたはコントローラ５０に送信する。すなわち、中継
器６０は、コントローラ５０と、無線センサ２２ａ−２２ｉとの通信を中継する。
【００３４】
（４）管理装置
本実施形態に係る管理装置４０は、図１に示すように、コントローラ５０に接続されている。管理装置４０は、図５に示すように、主として、通信部４１と、記憶部４２と、制御部４３とを備える。
【００３５】
〔通信部〕
通信部は、コントローラ５０と通信を行うための通信用インターフェースである。
【００３６】
〔記憶部〕
記憶部４２には、主として、座席ＩＤ記憶領域４２ａと、センサＩＤ記憶領域４２ｂとが含まれる。
【００３７】
座席ＩＤ記憶領域４２ａは、室内で利用者が着座する場所（座席）付近に振り当てた座席ＩＤを記憶する。本実施形態では、図４に示すように、室内に、６つの机からなるグループが９つ存在し、５４人が着座できるように５４の座席が設けられている。図４の領域４０１に示すように各座席付近には座席ＩＤ２１〜ＩＤ２６が振り当てられる。他の座席付近についても同様に座席ＩＤが振り当てられている。なお、座席ＩＤ記憶領域４２ａには、各座席ＩＤに対する座標情報が各座標ＩＤに関連付けて記憶されている。
【００３８】
センサＩＤ記憶領域４２ｂには、無線センサ２２ａ−２２ｉに振り当てられたセンサＩＤ０１〜０９が記憶される。また、センサＩＤ記憶領域４２ｂには、無線センサ２２ａ−２２ｉが設置された場所の座標情報が記憶されている。さらに、センサＩＤ記憶領域４２
ｂには、後述するセンサ領域決定部４３ａによって決定された情報であって、いずれの座席ＩＤが、いずれのセンサＩＤ０１〜ＩＤ０９を中心とする円の中に含まれるかに関する情報が記憶されている。図４では、例えば、座席ＩＤ２１〜ＩＤ２６は、センサＩＤ１７を中心とする円の中に位置する旨の情報が記憶されている。
【００３９】
〔制御部〕
制御部４３は、主として、センサ領域決定部４３ａと、重み係数演算部４３ｂとを有する。
【００４０】
センサ領域決定部４３ａは、無線センサ２２ａ−２２ｉが状態値の計測を行う範囲を決定する。具体的には、無線センサ２２ａ−２２ｉを中心として広がる円の半径ＸおよびＹの長さ（図４参照）が決定される。このとき、半径ＸおよびＹの長さは、Ｘ＜Ｙである。また、管理ユーザが部屋の配置（窓際、壁際）等に関する情報を記憶させておくことで、半径Ｙの長さは、外気による影響を考慮して、窓際から壁際に向かって大きくなるように決定される。
【００４１】
重み係数演算部４３ｂは、上述の座席ＩＤ記憶領域４２ａに記憶された各座席ＩＤの座標と、センサＩＤ記憶領域４２ｂに記憶された無線センサ２２ａ−２２ｉの座標との相対
距離に応じた重み係数を算出する。ここでは、座席と無線センサ２２ａ−２２ｉとの距離が近い程、重み付けが大きい。
【００４２】
（５）コントローラ
次に、図６を用いてコントローラ５０を説明する。コントローラ５０は、ＧＵＩを持つタッチパネルコントローラであり、管理ユーザまたは利用者による設定に基づき室内機１０ａ−１０ｉを制御する。コントローラ５０は、主として、通信部５１と、表示部５２と、入力部５３と、記憶部５４と、制御部５５と、タイマー５６とを備える。
【００４３】
〔通信部〕
通信部５１は、室内機１０ａ−１０ｉ、管理装置４０、および中継器６０とそれぞれ通信を行うための通信用インターフェースである。
【００４４】
〔表示部〕
表示部５２は、室内機１０ａ−１０ｉの運転状態（運転／停止の状態、設定温度、室温、湿度、運転モード等）を表示するディスプレイである。また、表示部５２は、管理ユーザまたは利用者から複数の室内機１０ａ−１０ｉに対する制御命令を受け付けるための操作画面でもある。
【００４５】
〔入力部〕
入力部５３は、主として、上述のディスプレイを覆うタッチパネルおよび操作ボタンから構成される。
【００４６】
〔記憶部〕
記憶部５４は、主として、状態値記憶領域５４ａと、センサＩＤ記憶領域５４ｂと、センサグループ記憶領域５４ｃと、計測タイミング記憶領域５４ｄと、重み係数記憶領域５４ｅと、運転モード記憶領域５４ｆとを有する。
【００４７】
状態値記憶領域５４ａには、後述する状態値取得部５５ａが無線センサ２２ａ−２２ｉから取得した状態値が記憶される。
【００４８】
センサＩＤ記憶領域５４ｂには、図７に示すように、座席ＩＤに関する情報と、当該座席ＩＤに相当する座席付近の状態値を計測する際に用いるセンサＩＤとが関連付けて記憶されている。具体的には、どの無線センサ２２ａ−２２ｉで計測された状態値を用いて、どの座席の状態値を得るかに関する情報が記憶されている。ここで、座席ＩＤに関連付けられるセンサＩＤは、座席の位置Ｐと、無線センサ２２ａ−２２ｉの位置との相互位置により決定する。
【００４９】
例えば、座席の位置Ｐがいずれか一つの無線センサを中心とする半径Ｘの円に含まれている場合には、当該座席の座席ＩＤに、当該中心の無線センサのセンサＩＤを関連付ける。すなわち、座席ＩＤに、当該座席の位置Ｐの最も近い位置にある無線センサのセンサＩＤが関連付けられる。この場合、半径Ｘの円（所定領域に相当）に含まれる座席ＩＤの状態値は、無線センサ２２ａ−２２ｉで計測される状態値そのものとなる。
【００５０】
一方、例えば、座席の位置Ｐがいずれの無線センサの半径Ｘの円にも含まれていない場合（所定外領域に相当）、当該座席ＩＤには、座席の位置Ｐに比較的近い位置にある無線センサが関連付けられる。より詳細には、座席の位置Ｐと無線センサとの相互位置により、座席ＩＤには、一つまたは複数の無線センサのセンサＩＤが関連付けられる。例えば、空調制御システム１に配置される無線センサおよび座席が図８で示すような配置になっていた場合、座席Ａには無線センサ１〜４、座席Ｂには無線センサ５、座席Ｃには無線センサ３および５がそれぞれ関連付けられる。この場合は、半径Ｘの円に含まれる座席の場合とは異なり、後述する推定値算出部５５ｂによって算出される推定値が当該座席周辺の状態値となる。詳細には、ここで座席ＩＤに関連付けられたセンサＩＤで計測される状態値を用いて、推定値算出部５５ｂが当該座席の位置Ｐ周辺の温度の推定値を算出する。なお、推定値算出部５５ｂが推定値を算出する場合には、後述する重み係数記憶領域５４ｅに記憶される重み係数を考慮して、複数の無線センサで計測された状態値の相加平均値を算出する。
【００５１】
図７に当てはめて説明すると、例えば、座席ＩＤ２２，２３，２６のように、座席の位置Ｐが無線センサの半径Ｘの円に含まれている場合には、座席ＩＤに関連付けられた無線センサにより計測された状態値を当該座席ＩＤ付近の状態値とする。一方、例えば、座席ＩＤ２１，２４，２５のように、座席の位置Ｐが無線センサの半径Ｘの円に含まれていない場合、座席ＩＤに関連付けられた無線センサで計測された状態値の相加平均値（推定値）を当該座席ＩＤ付近の状態値とする。
【００５２】
センサグループ記憶領域５４ｃは、センサグループに関する情報が記憶される。センサグループとは、一または複数の無線センサ２２ａ−２２ｉからなるグループである。また、センサグループに関する情報とは、センサグループ２１ａ，２１ｂ，２１ｃにいずれの無線センサ２２ａ−２２ｉが含まれるかに関する情報である。本実施形態では、図９に示
すように、無線センサ２２ａ−２２ｉが３つセンサグループ２１ａ，２１ｂ，２１ｃに分けられる。図９では、センサグループ２１ａには、無線センサ２２ｃ，２２ｄ，２２ｈが含まれ、センサグループ２１ｂには、無線センサ２２ｂ，２２ｆ，２２ｇが含まれ、センサグループ２１ｃには無線センサ２２ａ，２２ｅ，２２ｉが含まれる。図９に示すセンサグループ２１ａ，２１ｂ，２１ｃのように、一のセンサグループに複数の無線センサを含む場合、互いに離れた場所に配置されている無線センサを一のセンサグループに含む。
【００５３】
計測タイミング記憶領域５４ｄには、どのセンサグループ２１ａ，２１ｂ，２１ｃに含まれる無線センサ２２ａ−２２ｉがどのタイミングで状態値を計測するかに関する情報が
記憶されている。具体的には、無線センサ２２ａ−２２ｉが状態値を計測する所定の時間間隔と、各センサグループ２１ａ，２１ｂ，２１ｃに設定された順番と、が記憶されている。本実施形態に係る無線センサ２２ａ-２２ｉは、属するセンサグループに応じて異なるタイミングで状態値を計測する。すなわち、一のセンサグループ２１ａに属する一の無線センサ２２ｃは、同一のセンサグループ２１ａに属する他の無線センサ２２ｄ，２２ｈと同じタイミングで状態値を計測し、他のセンサグループ２１ｂ，２１ｃに属する無線センサ２２ａ，２２ｂ，２２ｅ，２２ｆ，２２ｇ，２２ｉとは異なるタイミングで状態値を計測する。従って、各無線センサ２２ａ−２２ｉは、計測タイミング記憶領域５４ｄに記憶された所定の時間間隔と、各センサグループ２１ａ，２１ｂ，２１ｃに設定された順番とに応じて、状態値を計測することになる。ここで、所定の時間間隔とは、一時間に一回のタイミングで無線センサ２２ａ−２２ｉによって状態値が計測される時間間隔である。本実施形態では、図９に示すように、無線センサ２２ａ−２２ｉを３つのセンサグループ２１ａ，２１ｂ，２１ｃに分けているので、一のセンサグループに属する無線センサは、他のセンサグループに属する無線センサと、それぞれ２０分の間隔をあけて状態値を計測することになる。また、各センサグループ２１ａ，２１ｂ，２１ｃに設定された順番は、センサグループ２１ｃ、センサグループ２１ｂ、およびセンサグループ２１ａの順番でそれぞれのグループに属する無線センサ２２ａ−２２ｉが状態値を計測する。より具体的には、センサグループ２１ａに含まれる無線センサ２２ｃ，２２ｄ，２２ｈが状態値を計測する２０分前に、センサグループ２１ｂに含まれる無線センサ２２ｂ，２２ｆ，２２ｇが状態値を計測する。また、センサグループ２１ｂに含まれる無線センサ２２ｂ，２２ｆ，２２ｇが状態値を計測する２０分前、すなわち、センサグループ２１ａに含まれる無線センサ２２ｃ，２２ｄ，２２ｈが状態値を計測する時間の４０分前に、センサグループ２１ｃに含まれる無線センサ２２ａ，２２ｅ，２２ｉが状態値を計測する。無線センサ２２ａ−２２ｉが状態値を計測したタイミングで、後述する状態値取得部５５ａによって、無線センサ２２ａ−２２ｉが計測した状態値が取得される。
【００５４】
さらに、計測タイミング記憶領域５４ｄには、上記各センサグループに設定する順番を複数記憶させることができる。例えば、午前７時から１０時半、午前１０時半から午後４時半、午後４時半から午前７時などの時間帯を指定して、複数の順番を記憶させることにより、各時間帯に応じた順番で、各センサグループ２１ａ，２１ｂ，２１ｃに属する無線センサ２２ａ−２２ｉが状態値を計測することになる。
【００５５】
重み係数記憶領域５４ｅには、上述の管理装置４０の重み係数演算部４３ｂによって算出された重み係数が記憶される。
【００５６】
運転モード記憶領域５４ｆには、複数の運転モードに関する情報が記憶されている。運転モードには、通常運転モード、ゾーン空調運転モード、不在エリア運転モード、旋回気流運転モードが含まれる。通常運転モードとは、ユーザ（管理ユーザ／利用者）によってコントローラ５０に適宜設定された内容に応じて冷房／暖房運転を行う運転である。ゾーン空調運転モードとは、特定のゾーンに対して気流の吹き付けを行う運転である。不在エリア運転モードとは、例えば、一の室内機が空調制御を行うエリアに利用者が全く存在しない場合に、そのエリアに対する空調は停止させる運転である。旋回気流運転モードとは、冷気だまりやドラフト感を解消するために、室内機の上下フラップ１２ａ−１２ｄと左右ルーバ１３ａ−１３ｄとを動作させて、室内の空気を旋回させる運転である。なお、運転モードには優先順位が設定されている。優先順位は、ゾーン空調運転（気流吹付）モード、不在エリア運転モード、旋回気流運転モード、通常運転モードの順である。
【００５７】
〔制御部〕
制御部５５は、主として、状態値取得部５５ａと、推定値算出部５５ｂと、順番変更要求部５５ｃと、設定受付部５５ｄと、モード切替部５５ｅとを有する。
【００５８】
状態値取得部５５ａは、無線センサ２２ａ−２２ｉによって所定の時間間隔で計測された状態値を中継器６０を介して取得する。なお、状態値取得部５５ａによって取得された状態値は、上述の状態値記憶領域５４ａに記憶される。
【００５９】
推定値算出部５５ｂは、状態値記憶領域５４ａに記憶された状態値を用いて、座席周辺の状態値について推定値を算出する。このとき、推定値算出部５５ｂは、センサＩＤ記憶領域５４ｂに記憶されている情報（図７参照）と重み係数記憶領域５４ｅに記憶されている情報とをさらに用いて推定値を算出する。例えば、座席ＩＤ２４の状態値を得る場合を例に挙げて説明する。座席ＩＤ２４に対応する座席の位置Ｐはいずれかの無線センサを中心とする半径Ｘの円に含まれていない。また、図７の表によると、座席ＩＤ２４周辺の状態値を得るために、センサＩＤ１４，１５，１７，１８で計測された状態値が用いられる。したがって、推定値算出部５５ｂは、重み係数記憶領域５４ｅに記憶された重み係数を考慮して、状態値記憶領域５４ａに記憶されたセンサＩＤ１４，１５，１７，１８の状態値の相加平均値（推定値）を算出する。なお、状態値記憶領域５４ａに記憶されているセンサＩＤ１４，１５，１７，１８の状態値は、属するセンサグループ２１ａ，２１ｂ，２１ｃに設定された順番に応じて、異なるタイミングで取得された状態値である。
【００６０】
順番変更要求部５５ｃは、後述の設定受付部５５ｄで設定された情報または計測タイミング記憶領域５４ｄに記憶された情報に基づき、各センサグループ２１ａ，２１ｂ，２１ｃに設定された順番であって、各センサグループ２１ａ，２１ｂ，２１ｃに属する無線センサ２２ａ−２２ｉが状態値を計測するタイミングを変更するための信号を生成する。タイミングを変更する具体的な方法は、下記の（２）タイミングの変更の欄で詳細に説明する。
【００６１】
設定受付部５５ｄは、ユーザが所望する空調環境の設定や各種制御の設定を受け付ける。
【００６２】
モード切替部５５ｅは、上述した運転モード記憶領域に記憶された運転モードを、設定受付部５５ｄで受け付けた指令および管理装置４０から送られるユーザ情報に基づいて適宜切り替える。運転モードの状態遷移については、下記の（３）運転モードの状態遷移の欄で詳細に説明する。
【００６３】
〔タイマー〕
タイマー５６は、時間の計測を行う。
【００６４】
＜動作＞
（１）室内機の制御方法
次に、図１０を用いて、コントローラ５０を用いた室内機１０ａ−１０ｉの制御方法を
説明する。ステップＳ１０１において、コントローラ５０から各無線センサ２２ａ−２２ｉに対して問合せ処理が行なわれる。次に、ステップＳ１０２において、無線センサによ
って計測された状態値が取得できたか否かが判断される。状態値が取得できた場合には、ステップＳ１０３に進み、状態値記憶領域５４ａに状態値を記憶する。その後ステップＳ１０４に進む。ステップＳ１０２で状態値が取得できなかった場合には、ステップＳ１０４に進む。ステップＳ１０４では、全無線センサ２２ａ−２２ｉに問い合わせ処理が行われたか否かを判断する。ステップＳ１０４で全ての無線センサに対して問合せ処理が終了していない場合には、ステップＳ１０１に戻る。ステップＳ１０４で全ての無線センサに対する問合せ処理が終了している場合には、ステップＳ１０５に進む。ステップＳ１０５では、各座席周辺の状態値が決定される。具体的には、センサＩＤ記憶領域５４ｂに記憶されている情報（図７参照）に基づいて、いずれかの無線センサで計測された状態値が座席周辺の状態値として決定され、あるいは、複数の無線センサで計測された状態値を用いて算出された推定値が対応する座席周辺の状態値として決定される。なお、この直前に、設定受付部５５ｄが運転モードの切替えまたは設定温度の変更を受け付けていた場合、状態値記憶領域５４ａに記憶された状態値はリセットされる。したがって、例えば、図１１に示すように、運転モードの切替えまたは設定温度の変更を受け付けた後に計測された状態値を用いて推定値を算出する。図１１では、センサグループ２１ｂが状態値を計測した後に、設定受付部５５ｄが運転モードの切替えまたは設定温度の変更を受け付けている。従って、その後、推定値を算出する際には、運転モードの切替えまたは設定温度の変更を受け付けた後に計測されたセンサグループ２１ａに属する無線センサ２２ｃ，２２ｄ，２２ｈが計測した状態値のみを用いて、推定値を算出する。その後、センサグループ２１ｃに属する無線センサ２２ａ，２２ｅ，２２ｉが状態値を計測すると、センサグループ２１ａおよびセンサグループ２１ｂに属する無線センサ２２ｃ，２２ｄ，２２ｈ，２２ａ，２２ｅ，２２ｉによって計測された状態値を用いて推定値を算出する。その後、センサグループ２１ｂに属する無線センサ２２ｂ，２２ｆ，２２ｇが状態値を計測すると、全ての無線センサ２２ａ−２２ｉで計測された状態値を用いて推定値を算出する。
【００６５】
その後ステップＳ１０６において、コントローラ５０に設定された設定値と状態値とが比較され、また、設定値と推定値とが比較される。その後、ステップＳ１０７において、コントローラ５０は、設定値と乖離する状態値または推定値を有する座席ＩＤ付近の空調制御を行う室内機に対して、状態値または推定値が設定値付近で制御されるように、空調制御指令を送信する。
【００６６】
（２）タイミングの変更
次に、図１２Ａおよび図１２Ｂを用いて、無線センサ２２ａ−２２ｉが状態値を計測するタイミングが変更される方法について詳細に説明する。図１２Ａおよび図１２Ｂにおいて、順番変更要求が生成されるまでの順番は、次の通りである。まず、センサグループ２１ｃに属する無線センサ２２ａ，２２ｅ，２２ｉが状態値を計測し、その２０分後にセンサグループ２１ｂに属する無線センサ２２ｂ，２２ｆ，２２ｇが状態値を計測する。その２０分後に、センサグループ２１ａに属する無線センサ２２ｃ，２２ｄ，２２ｈが状態値を計測する。図１２Ａでは、順番変更要求が生成された後、センサグループ２１ａに属する無線センサ２２ｃ，２２ｄ，２２ｈ、センサグループ２１ｂに属する無線センサ２２ｂ，２２ｆ，２２ｇ、そしてセンサグループ２１ｃに属する無線センサ２２ａ，２２ｅ，２２ｉの順番で状態値が計測されるようにセンサグループに設定された順番が変更される。順番変更要求が生成されると、当該順番変更要求に関する指令がコントローラ５０からセンサグループ２１ａに属する無線センサ２２ｃ，２２ｄ，２２ｈ、およびセンサグループ２１ｃに属する無線センサ２２ａ，２２ｅ，２２ｉにそれぞれ送られる。具体的には、センサグループ２１ａに属する無線センサ２２ｃ，２２ｄ，２２ｈに対しては、次に状態値を計測するタイミングを２０分後にずらすように指令が送られる。また、センサグループ２１ｃに属する無線センサ２２ａ，２２ｅ，２２ｉに対しては、次に状態値を計測するタイミングを４０分後にずらすように指令が送られる。
【００６７】
同様に、図１２Ｂでは、順番変更要求が生成された後、センサグループ２１ｃに属する無線センサ２２ａ，２２ｅ，２２ｉ、センサグループ２１ａに属する無線センサ２２ｃ，２２ｄ，２２ｈ、そしてセンサグループ２１ｂに属する無線センサ２２ｂ，２２ｆ，２２ｇ、の順番で状態値が計測されるようにセンサグループに設定された順番が変更される。具体的には、センサグループ２１ａに属する無線センサ２２ｃ，２２ｄ，２２ｈに対して、次に状態値を計測するタイミングを４０分後にずらすように指令が送られる。また、センサグループ２１ｂに属する無線センサ２２ｂ，２２ｆ，２２ｇに対しては、次に状態値を計測するタイミングを２０分後にずらすように指令が送られる。
【００６８】
（３）運転モードの状態遷移
次に、図１３を用いて、運転モードの状態遷移について説明する。図１３で示す矢印は、各運転モードの状態遷移を示す。なお、本実施形態に係る空調制御システム１では、上述したように、各運転モードに優先順位が設定されている。上述した優先順位に基づいて、コントローラ５０は、優先的に、ゾーン空調運転モードで室内機１０ａ−１０ｉの制御
を行う。
【００６９】
（ゾーン空調運転モード）
不在エリア運転モード、旋回気流運転モード、または通常運転モードで室内機１０ａ−１０ｉの制御が行われている場合にも、コントローラ５０でユーザからの指令を受け付け
ることにより、優先的にゾーン空調運転モードに遷移する（図１３のＩ）。
【００７０】
（不在エリア運転モード）
次に優先順位が高い不在エリア運転モードについては、通常運転モードまたは旋回気流運転モードで室内機１０ａ−１０ｉが制御されている場合に不在エリアが検知されると、通常運転モードまたは旋回気流運転モードから不在エリア運転モードに遷移する（図１３のＩＩ）。なお、本実施形態では、各室内機１０ａ−１０ｉにＣＭＯＳカメラ（図示せず）が内蔵されており、当該ＣＭＯＳカメラにより室内空間の全域における人の在・不在が検知される。
【００７１】
（旋回気流運転モード）
次に優先順位が高い旋回気流運転モードについては、通常運転モードで室内機１０ａ−１０ｉが制御されていた場合に、コントローラ５０でユーザからの旋回気流運転の要求を
受け付けた場合または温度差分布が５０％以上になった場合に、通常運転モードから旋回気流運転モードに遷移する（図１３のＩＩＩ）。なお、温度差分布は、“吸込み温度―直下の座席付近温度（計測値または推定値）＞２℃の数／全サンプル（室内機）数”で得られる。
【００７２】
（通常運転モード）
一方、コントローラ５０がゾーン空調運転モードで室内機１０ａ−１０ｉを制御している場合、コントローラ５０でユーザからゾーン空調運転モードの解除の要求を受け付けた場合またはゾーン空調運転の要求を受けた後一定期間が経過した場合には、ゾーン空調運転モードから通常運転モードに遷移する（図１３のＩＶ−１）。さらに、室内機１０ａ−１０ｉが不在エリア運転で制御されている場合、不在エリアがなくなった場合には、不在エリア運転モードから通常運転モードに遷移する（図１３のＩＶ−２）。また、室内機１０ａ−１０ｉが旋回気流運転モードで制御されている場合で、温度差分布が５０％未満またはゾーン空調運転の要求を受けた後一定期間が経過した場合にもゾーン空調運転モードから通常運転モードに遷移する（図１３のＩＶ−３）。なお、一定期間については、ユーザが任意に設定できるものである。
【００７３】
＜特徴＞
１．本実施形態に係る空調制御システム１では、無線センサ２２ａ−２２ｉで計測され
る状態値を用いて室内機１０ａ−１０ｉの制御が行われる。従来は、例えば、室内機１０
ａ−１０ｉの吸込み温度値とコントローラ５０に設定されている温度（設定温度）とを比
較して、室内機１０ａ−１０ｉを制御していた。この場合、天井付近の室温と、利用者の
体感温度とが異なり、利用者が所望する空調環境を実現することが困難である。一方、本実施形態に係る空調制御システム１では、無線センサ２２ａ−２２ｉを用いて、複数の座
席付近に対する状態値を決定する。すなわち、利用者付近の温度と設定温度とを比較して室内機１０ａ−１０ｉを制御することができるため、より利用者の要求に沿った空調環境
を提供することができる。
【００７４】
２．また、本実施形態に係る空調制御システム１では、限られた無線センサ２２ａ−２２ｉを用いて、複数箇所における利用者周辺の状態値を決定する。すなわち、無線センサ
が設置されていない場所についても、一または複数の無線センサ２２ａ−２２ｉの状態値
を用いて推定値が算出される。状態値の補間が行われるため、限られた無線センサ２２ａ−２２ｉを用いて、複数領域における快適な室内空間を効率よく提供することができる。
また、多数の無線センサを設置する手間およびコストを低減することができる。
【００７５】
３．本実施形態に係る空調制御システム１では、複数の無線センサ２２ａ−２２ｉが、
属するセンサグループ２１ａ，２１ｂ，２１ｃに応じて異なるタイミングで状態値の計測を行う。すなわち、一の無線センサが状態値を計測する回数を減少させることができる。また、複数の無線センサ２２ａ−２２ｉを常時アクティブ状態にしておく必要がないため
、電池寿命を延命させることができる。
【００７６】
４．本実施形態に係る空調制御システム１では、無線センサ２２ａ−２２ｉは、属する
センサグループ２１ａ，２１ｂ，２１ｃに設定された順番に応じて、所定時間間隔で状態値を計測する。また、当該順番をコントローラ５０の計測タイミング記憶領域５４ｄに複数記憶させることができる。当該順番を複数記憶させることにより、例えば、時間帯または季節に応じて変化する熱負荷（例えば、太陽、ストーブ）の有無または位置を考慮した柔軟な空調制御を行うことができる。
【００７７】
５．本実施形態に係る空調制御システム１では、コントローラ５０に複数の運転モードが記憶されている。これにより、室内環境に応じて、きめ細かい空調制御を行うことができる。
【００７８】
６．本実施形態に係る空調制御システム１では、推定値算出部５５ｂが温度補間のために推定値を算出する際、状態値記憶領域５４ａに記憶されている状態値を用いて推定値を算出する。また、設定受付部５５ｄが運転モード切替や設定温度の変更を受け付けた場合に、それ以降に計測された状態値に基づいて推定値が算出される。これにより、例えば、設定温度の変更前の室温に影響されることなく、適切な推定値を算出することができる。
【００７９】
＜変形例＞
１．上記実施形態では、不在エリア運転モードについて、室内機１０ａ−１０ｉに内蔵したＣＭＯＳカメラにより、室内機直下の人の在・不在を検知して運転モードを切り替えたが、室内機１０ａ−１０ｉに内蔵したサーモパイルセンサによって室内機直下の人の在・不在を検知してもよい。
【００８０】
また、旋回気流モードについて、温度差分布が５０％以上になった場合に、通常運転モードから旋回気流運転モードに遷移したが（図１３のＩＩＩ）、温度差分布は、５０％に限定されるものではなく、４０％〜７０％であってもよい。また、温度差分布を“吸込み温度―直下の座席付近温度（計測値または推定値）＞２℃の数／全サンプル（室内機）数”で得られるものとしたが、２℃は固定の値ではなく、設置環境に応じて、３℃〜４℃に変更されても良い。
【００８１】
さらに、上記実施形態における空調制御システム１では、空調機１０ａ−１０ｉをゾーン空調運転モード、不在エリア運転モード、旋回気流運転モード、および通常運転モードの４つの運転モードで制御するものとしたが、これら運転モードの種類はこれらに限定されるものではない。すなわち、これら運転モードのうち、通常運転モードのみで空調機の制御を行ってもよく、さらに、その他の運転モードと組み合わせて空調機の制御を行っても構わない。
【００８２】
２．上記実施形態では、中継器６０がコントローラ５０と通信線で接続されているが、中継器が無線であっても構わない。
【００８３】
３．上記実施形態では、設定受付部５５ｄで受け付けた設定に基づいて、順番変更要求部５５ｃが各センサグループ２１ａ，２１ｂ，２１ｃに設定された順番であって、無線センサ２２ａ−２２ｉが状態値を計測する順番をセンサグループごとに変更した。上記実施
形態に係るコントローラ５０が、図１４に示すように、さらに熱負荷判定部５５ｆを備えていてもよい。例えば、各無線センサ２０ａ−２０ｉもしくは各室内機１０ａ−１０ｉに
、熱負荷になりうる太陽またはストーブ等の有無または位置を判定する機能を追加しておき、熱負荷判定部５５ｆは、無線センサ２２ａ−２２ｉもしくは室内機１０ａ−１０ｉに
よって判定された結果を、各無線センサ２２ａ−２２ｉもしくは室内機１０ａ−１０ｉから取得する。順番変更要求部５５ｃは、熱負荷判定部５５ｆによって取得した情報に基づいて、順番変更要求部５５ｃがセンサグループ２１ａ，２１ｂ，２１ｃに設定された順番を変更してもよい。
【００８４】
さらに、上記実施形態では、センサ領域決定部４３ａは、管理ユーザが任意に設定した値に基づいて無線センサ２２ａ−２２ｉによって状態値が計測される範囲（半径Ｘと半径Ｙとの円に含まれる範囲）を決定した。また、半径Ｙの長さは、管理ユーザが部屋の配置（窓際、壁際）等に関する情報を記憶させておくことで、外気による影響を考慮して、窓際から壁際に向かって大きくなるように決定される。したがって、例えば、熱負荷から離れた場所では、空調環境に与える熱負荷の影響が小さいため、半径Ｙの範囲を大きくし、熱負荷に近い場所では、空調環境に与える熱負荷の影響が大きいため、半径Ｙの範囲を小さくする。このとき、センサ領域決定部４３ａは、熱負荷判定部５５ｆが無線センサ２２ａ−２２ｉもしくは室内機１０ａ−１０ｉから取得した情報を取得し、当該情報を考慮した上で、無線センサ２２ａ−２２ｉによって状態値が計測される範囲を決定してもよい。
これにより、空調制御システム１を導入する際に、管理ユーザが部屋の配置等の情報を記憶させなくても、適宜、熱負荷の影響を考慮した推定値を算出することができる。また、空調制御システム１の使用開始時から熱負荷を考慮した空調制御を行うことができる。
【００８５】
４．上記実施形態では、異なるタイミングで計測された状態値を状態値記憶領域５４ａに記憶させ、推定値算出部５５ｂは、異なるタイミングで計測された状態値を用いて推定値を算出していたが、無線センサ２２ａ−２２ｉの状態値自体が補間されるように設計してもよい。例えば、図１５に示す３つのセンサグループ２１ａ，２１ｂ，２１ｃのうち、センサグループ２１ａに含まれる無線センサ２２ｃ，２２ｄ，２２ｈは状態値を計測せず、他のセンサグループ２１ｂ，２２ｃに属する無線センサ２２ａ，２２ｂ，２２ｅ，２２ｆ，２２ｇ，２２ｉでは状態値が計測された場合、無線センサ２２ｃ，２２ｄ，２２ｈの状態値は、他のセンサグループ２１ｂ，２２ｃに属する無線センサ２２ａ，２２ｂ，２２ｅ，２２ｆ，２２ｇ，２２ｉで計測された状態値に基づいて推定値が算出される。例えば、図１５中の矢印で示すように、無線センサ２２ｃは、無線センサ２２ｂ，２２ｆで計測された状態値を用いて推定値が算出される。また、無線センサ２２ｄは、無線センサ２２ａ，２２ｅ，２２ｇで計測された状態値を用いて推定値が算出される。さらに、無線センサ２２ｈは、無線センサ２２ｅ，２２ｇ，２２ｉで計測された状態値を用いて推定値が算出される。この場合にも、重み係数記憶領域５４ｅに各無線センサについての重み係数を記憶させておく。重み係数を考慮して、複数の無線センサ２２ａ，２２ｂ，２２ｅ，２２ｆ，２２ｇ，２２ｉで計測された状態値の相加平均値を算出することで、無線センサ２２ｃ，２２ｄ，２２ｈの状態値に代わる推定値を算出することができる。これにより、例えば、いずれかの無線センサが故障等により状態値を算出できない場合にも対応することができる。
【００８６】
５．上記実施形態では、天井設置タイプの室内機を用いたが、他のタイプの室内機、例えば、ダクト式空調機を用いてもよい。この場合、当該空調機またはその他の機構が、吹出し口付近の温度を検知できる吹き出し口温度センサおよび不在エリアを検知する人感センサの機能を有することが好ましい。
【００８７】
６．上記実施形態では、図１１で説明した室内機の制御方法において、ステップＳ１０１からステップＳ１０３において、全ての無線センサ２２ａ−２２ｉに問合せ処理を行ってアクティブ状態の無線センサから状態値を取得したが、アクティブ状態の無線センサのみに対して問合せ処理を行ってもよい。また、アクティブ状態の無線センサから自動的に状態値が送信されてくるように設計されてもよい。
【００８８】
７．上記実施形態では、複数の無線センサ２２ａ−２２ｉが３つのセンサグループ２１ａ，２１ｂ，２１ｃに分けられ、各センサグループ２１ａ，２１ｂ，２１ｃに属する無線センサ２２ａ−２２ｉがセンサグループごとに状態値を計測した。ここで、センサグループ２１ａ，２１ｂ，２１ｃに属する無線センサ２２ａ−２２ｉは固定であったが、センサグループ２１ａ，２１ｂ，２１ｃを構成する無線センサ２２ａ−２２ｉが時間帯あるいは熱負荷の有無または位置に応じて変化してもよい。図１６では、センサグループ２１ａ，２１ｂ，２１ｃに属する無線センサを、状態値を計測するタイミングに応じて“古”、“中”、“新”と表示する。この場合、例えば、時間帯（朝、昼、夕方等）または熱負荷の位置に応じて最適な無線センサの組み合わせ（センサグループ２１ａ，２１ｂ，２１ｃ）を作り、各無線センサ２２ａ−２２ｉが、属するセンサグループ２１ａ，２１ｂ，２１ｃに設定された順番で状態値を計測するように設計する。
【００８９】
８．上記実施形態では、３つのセンサグループ２１ａ，２１ｂ，２１ｃのうちいずれかに属する無線センサ２２ａ−２２ｉが、一時間に一回の割合で状態値を計測するように設計したが、センサグループの数は３つに限定されるものではない。例えば、図１７に示すように、無線センサの数が１６基であり、各センサグループが４つの無線センサを含むように設計されていてもよい。この場合には、各グループに属する無線センサは、先に状態値を計測する無線センサの属するセンサグループから１５分の間隔をあけて、状態値を計測する。また、各センサグループに属する無線センサの数は、それぞれ同一でなくてもよい。また、無線センサ２２ａ−２２ｉが状態値を計測するタイミングは、一時間に一回の割合に限定されるものでもない。
【００９０】
９．上記実施形態において、管理装置４０およびコントローラ５０はそれぞれ別の装置として記載したが、これらに備えられた機能の一部または全てが一つの装置に含まれるように設計されてもよい。
【００９１】
１０．上記実施形態では、無線センサが計測する状態値として、室内の温度を挙げたが、無線センサが、室内の温度および湿度の双方を計測してもよい。これにより、旋回気流運転モードで空調機の制御を行う際、温度分布の他、湿度の分布を考慮した空調機の制御を行うこともできる。
【００９２】
１１．上記実施形態では、左右ルーバ１３ａ−１３ｄを有する空調機を用いたが、左右ルーバ１３ａ−１３ｄを有さない空調機を用いてもよい。
【００９３】
１２．上記実施形態において、コントローラ５０が室内機１０ａ−１０ｉを制御する各運転モードには優先順位が設定されており、その順番は、ゾーン空調運転（気流吹付）モード、不在エリア運転モード、旋回気流運転モード、通常運転モードの順であったが、この順番はこれに限られるものではない。例えば、旋回気流運転モードを不在エリア運転モードに優先させるように設計されていてもよい。
【００９４】
１３．上記実施形態において、室内空間における人の在・不在は、各室内機１０ａ−１０ｉに設けられたＣＭＯＳカメラにより検知される。すなわち、全室内機１０ａ−１０ｉに内蔵されたＣＭＯＳカメラにより室内空間全域の人の在・不在が検知される。しかし、ＣＭＯＳカメラが全ての室内機１０ａ−１０ｉに内蔵されている場合に限られず、幾つかの室内機に内蔵されたＣＭＯＳカメラにより室内空間全域の人の在・不在が検知されるようになっていてもよい。さらに、室内機に内蔵されたＣＭＯＳカメラに限らず、他のセンサにより室内空間全域の人の在・不在が検知されても構わない。
【００９５】
＜他の実施形態＞
以上、本発明の実施形態について図面に基づいて説明したが、具体的な構成はこれらの実施形態に限られるものではなく、発明の要旨を逸脱しない範囲で変更可能である。
【産業上の利用可能性】
【００９６】
本発明に係る空調制御システムは、快適な空調環境を効率よく実現する空調制御システムとして利用することができる。
【図面の簡単な説明】
【００９７】
【図１】本実施形態に係る空調制御システムの概略構成図である。
【図２】本実施形態に係る室内機の概略構成図である。
【図３】本実施形態に係る室内機の構成を模式的に示す図である。
【図４】本実施形態に係る空調制御システムにおける無線センサ、座席等の配置を例示した図である。
【図５】本実施形態に係る管理装置の概略構成図である。
【図６】本実施形態に係るコントローラの概略構成図である。
【図７】本実施形態に係るセンサＩＤ記憶領域に記憶される情報の概念図である。
【図８】センサＩＤ記憶領域に記憶される情報を説明する図である。
【図９】本実施形態に係るセンサグループと各センサグループに属する無線センサが状態値を計測するタイミングを示す図である。
【図１０】本実施形態に係る室内機の制御方法を示すフローである。
【図１１】本実施形態において設定変更がなされた場合の制御を説明する図である。
【図１２Ａ】本実施形態において順番変更要求が生成された際の制御を説明する図である。
【図１２Ｂ】本実施形態において順番変更要求が生成された際の制御を説明する図である。
【図１３】本実施形態に係る運転モードの状態遷移を示す図である。
【図１４】本実施形態の変形例（３）に係るコントローラ概略構成図である。
【図１５】本実施形態の変形例（４）に係る空調制御システムの温度補間を説明する図である。
【図１６】本実施形態の変形例（７）に係る空調制御システムを説明する図である。
【図１７】本実施形態の変形例（８）に係る空調制御システムを説明する図である。
【符号の説明】
【００９８】
１  空調制御システム
１０ａ−１０ｉ  室内機（空調機）
２１ａ−２１ｃ  センサグループ
２２ａ−２２ｉ  無線センサ
３０  個人ＩＤ認証装置
４０  管理装置
５０  コントローラ（制御装置）
６０  中継器
【図１】
2010048530.tif 000003
【図２】
2010048530.tif 000004
【図３】
2010048530.tif 000005
【図４】
2010048530.tif 000006
【図５】
2010048530.tif 000007
【図６】
2010048530.tif 000008
【図７】
2010048530.tif 000009
【図８】
2010048530.tif 000010
【図９】
2010048530.tif 000011
【図１０】
2010048530.tif 000012
【図１１】
2010048530.tif 000013
【図１２Ａ】
2010048530.tif 000014
【図１２Ｂ】
2010048530.tif 000015
【図１３】
2010048530.tif 000016
【図１４】
2010048530.tif 000017
【図１５】
2010048530.tif 000018
【図１６】
2010048530.tif 000019
【図１７】
2010048530.tif 000020